(57)【要約】【課題】記録紙の種別を可及的に正確に判別することで安定的な画像を形成できる画像形成装置を提供する。【解決手段】記録紙搬送路中に設けられ、トナー像が転写された記録紙に所定の熱量を付与してトナー像を定着する定着部を備えた画像形成装置１において、定着部の搬送方向上流側の記録紙搬送路の適所に設けられ、記録紙搬送路内で記録紙に撓み方向の力を付与する撓み力付与部４５ｂと、撓み方向の力が付与された状態で該記録紙の撓み量を検知する撓み検知手段４１３と、検知結果から記録紙が普通紙かＯＨＰ紙かを判別する判別手段と、判別結果に応じて定着部１０で付与される熱量を調整する定着制御手段とを備えたことを特徴とする。【選択図】          図２
2005024705.tif 000002
【特許請求の範囲】
【請求項１】
記録紙搬送路中に設けられ、トナー像が転写された記録紙に所定の熱量を付与してトナー像を定着する定着部を備えた画像形成装置において、
前記定着部の搬送方向上流側の前記記録紙搬送路の適所に設けられ、前記記録紙搬送路内で前記記録紙に撓み方向の力を付与する撓み力付与部と、前記撓み方向の力が付与された状態で該記録紙の撓み量を検知する撓み検知手段と、検知結果から記録紙が普通紙かＯＨＰ紙かを判別する判別手段と、判別結果に応じて前記定着部で付与される熱量を調整する定着制御手段とを備えたことを特徴とする画像形成装置。
【請求項２】
前記記録紙搬送路がカーブする箇所の上流側に、前記撓み力付与部としての搬送ローラ対と、下流側に、前記搬送ローラ対によって送り込まれた記録紙を一時的に挟持した後に二次給紙を行うためのレジストローラ対とを備え、前記記録紙を前記搬送ローラ対と前記レジストローラ対との間の距離に比して所定量だけ多めに送り込むよう前記搬送ローラ対を制御する搬送制御手段を備えることを特徴とする請求項１に記載の画像形成装置。
【請求項３】
前記定着制御手段は、前記検知された記録紙の撓みが小さい程、前記記録紙の前記定着部での通過時間を長く設定することを特徴とする請求項１又は２に記載の画像形成装置。
【請求項４】
前記検知部は、フォトインタラプタから成るセンサと、前記記録紙に接して回動可能に回転軸に軸支された遮光部材とを備え、前記センサは、普通紙に接しての前記遮光部材の回動でのみ遮光される位置に配置され、前記制御部は、前記センサが遮光された場合に、前記センサが遮光されていない場合よりも小さい熱量を付与するように調整することを特徴とする請求項１〜３の何れかに記載の画像形成装置。
【発明の詳細な説明】
【０００１】
【発明の属する技術分野】
本発明は、記録紙搬送路中に設けられ、トナー像が転写された記録紙に所定の熱量を付与してトナー像を定着する定着装置を備えた画像形成装置に関するものである。
【０００２】
【従来の技術】
従来、複写機等の画像形成装置では、画像形成部で記録紙表面に付着されたトナー画像を定着部で加熱して記録紙に定着させるときに、記録紙がＯＨＰ紙か普通紙かをその光の透過率で判別し、判別された記録紙の種別に応じて定着部が駆動される構成が知られていた（例えば、特許文献１を参照）。図５は、従来の画像形成装置の記録紙判別機構を示す概略構成図である。画像形成装置の記録紙判別機構は、給紙トレイ２００、画像形成装置の各部を制御する制御回路（図略）を備え、給紙トレイ２００には、そのケーシング２１０の天板２１０ａ、底板２１０ｂに記録紙Ｐの載置方向で互いに対向する貫通孔２２０ａ、２２０ｂが形成され、この貫通孔２２０ａ、２２０ｂに対向する発光素子２３０ａ及び受光素子２３０ｂから成る検知センサ２３０が配置されている。この給紙トレイ２００に普通紙Ｐが載置された場合には、発光素子２３０ａからの光が妨げられて受光素子２３０ｂに受光されず、記録紙Ｐが普通紙であると判別されていた。一方、給紙トレイ２００にＯＨＰ紙が載置された場合には、発光素子２３０ａからの光が透過されて受光素子２３０ｂに受光され、記録紙ＰがＯＨＰ紙であると判別されていた。このように、受光素子２３０ｂの受光の有無によって記録紙Ｐの種類が判別され、記録紙ＰがＯＨＰ紙である場合には、制御回路は普通紙よりも定着部での過熱量を多く設定していた。
【０００３】
ＯＨＰ紙にトナーを定着させるには普通紙よりも大きな熱量を必要とするため、定着部の過熱量を多くしなければトナーが十分に記録紙Ｐに付着しないが、これによると、操作者によって手動で記録紙Ｐの種類が入力されなくても、画像形成装置が自動で記録紙Ｐの種別を判別できるので、操作者の入力誤りを原因とした記録紙Ｐへの画像形成の失敗を防止することが可能であった。
【０００４】
【特許文献１】
特開平６−７５４５２号公報
【０００５】
【発明が解決しようとする課題】
しかしながら、従来の画像形成装置では、受光素子の経時的劣化や、記録紙や検知センサに埃、汚れ等が付着することにより、検知センサでの検知誤りが生じてトナー画像が記録紙に十分に付着しない場合があった。
【０００６】
本発明は、上記課題を解決するために、記録紙の種別を可及的に正確に判別することで安定的な画像を形成できる画像形成装置を提供することを目的としている。
【０００７】
【課題を解決するための手段】
本発明は、記録紙搬送路中に設けられ、トナー像が転写された記録紙に所定の熱量を付与してトナー像を定着する定着部を備えた画像形成装置において、前記定着部の搬送方向上流側の前記記録紙搬送路の適所に設けられ、前記記録紙搬送路内で前記記録紙に撓み方向の力を付与する撓み力付与部と、前記撓み方向の力が付与された状態で該記録紙の撓み量を検知する撓み検知手段と、検知結果から記録紙が普通紙かＯＨＰ紙かを判別する判別手段と、判別結果に応じて前記定着部で付与される熱量を調整する定着制御手段とを備えたことを特徴とする。
【０００８】
この構成によると、撓み力付与部によって撓み方向の力が付与された記録紙は撓み、撓んだ状態で検知部によって可撓性の異なるＯＨＰ紙と普通紙との撓みが検知され、この撓みによって記録紙の種別が判別されて、定着部によってこの種別に応じた熱量が付与されるため、受光素子の経時的劣化や、記録紙や撓み検知手段への埃、汚れ等の付着に影響されず、可及的に正確に記録紙の種別を判別してトナー定着に必要な熱量が付与されることとなる。
【０００９】
本発明では、上記画像形成装置において、前記記録紙搬送路がカーブする箇所の上流側に、前記撓み力付与部としての搬送ローラ対と、下流側に、前記搬送ローラ対によって送り込まれた記録紙を一時的に挟持した後に二次給紙を行うためのレジストローラ対とを備え、前記記録紙を前記搬送ローラ対と前記レジストローラ対との間の距離に比して所定量だけ多めに送り込むよう前記搬送ローラ対を制御する搬送制御手段を備えることを特徴とする。この構成によると、記録紙搬送路がカーブする箇所で、搬送ローラ対とレジストローラ対との間の距離に比して所定量だけ多めに記録紙が送り込まれるため、記録紙を検知部で十分に撓みを検知可能なだけ撓ませることが可能となる。
【００１０】
本発明では、上記画像形成装置において、前記定着制御手段は、前記検知された記録紙の撓みが小さい程、前記記録紙の前記定着部での通過時間を長く設定することを特徴とする。すなわち、ＯＨＰ紙は、普通紙よりも可撓性が大きいため、検知された記録紙の撓みが小さい程、記録紙がＯＨＰ紙である可能性が高くなる。したがって、記録紙の撓みが小さい程記録紙の定着部の通過時間を長く設定することで、トナー粉の定着に普通紙よりも大きい熱量を要するＯＨＰ紙に対して、普通紙よりも大きい熱量を提供することが可能となる。
【００１１】
本発明では、上記画像形成装置において、前記検知部は、フォトインタラプタから成るセンサと、前記記録紙に接して回動可能に回転軸に軸支された遮光部材とを備え、前記センサは、普通紙に接しての前記遮光部材の回動でのみ遮光される位置に配置され、前記制御部は、前記センサが遮光された場合に、前記センサが遮光されていない場合よりも小さい熱量を付与するように調整することを特徴とする。この構成によると、接する記録紙の撓みに応じて遮光部材の回動量が異なり、ＯＨＰ紙に接しての遮光部材の回動では遮光されず、普通紙に接しての遮光部材の回動でのみ遮光される位置にセンサが配置されているため、センサが遮光されれば普通紙、遮光されなければＯＨＰ紙であると判別され、ＯＨＰ紙である場合には普通紙である場合よりも大きい熱量を付与することが可能となる。したがって、簡易な構成でありながら、検知センサ及び遮光部材の経時的劣化や、埃等の付着に比較的影響されず、記録紙の種別の判別を安定させることが可能となる。
【００１２】
【発明の実施の形態】
図１〜図４を用いて、本発明にかかる画像形成装置をプリンタに適用した場合の一実施の形態について説明する。図１は、プリンタ１の側面概略構成図である。図１において、プリンタ１は、本体底部側に、普通紙やＯＨＰ紙を含む可撓性の異なる複数種類の記録紙Ｐが積層された記録紙収納部２、本体上部側に位置して、記録紙収納部２から画像形成後の記録紙Ｐが排出される排出部３に亘って記録紙Ｐを搬送する搬送部４、搬送部４の上部で搬送方向に亘って直列に設けられ、搬送された記録紙Ｐに各色の画像を形成する像形成部５〜８、及び像形成部５〜８の用紙搬送方向下流側に設けられた定着部１０、これら各部の駆動を制御する制御部１１を備える。
【００１３】
搬送部４は、記録紙収納部２から繰り出される記録紙Ｐを搬送する搬送路４１（記録紙搬送路）と、搬送路４１に搬送された記録紙Ｐを像形成部５〜８位置で搬送するための無端の搬送ベルト４２と、搬送ベルト４２に搬送された記録紙Ｐを排出部３まで搬送する搬送路４３とを備える（搬送路４１の構成について、詳しくは後述する）。搬送部４は、上流側から、記録紙収納部２から記録紙を繰り出すためのローラ４４と、搬送路４１に沿って所要位置に配設された所要数の搬送ローラ対４５ａ、４５ｂと、レジストローラ対４６とを有し、ローラ４４、搬送ローラ対４５ａ、４５ｂ及びレジストローラ対４６は図略のモータ等によって回転駆動されることで、記録紙を搬送するようになっている。
【００１４】
像形成部５〜８は、搬送ベルト４２の用紙搬送面に沿って配設され、上流側からシアン（Ｃ）、マゼンタ（Ｍ）、イエロー（Ｙ）及びブラック（Ｂ）の画像を形成するものであり、詳細は後述する。搬送ベルト４２は上流側と下流側のローラ４７，４８間に張設されると共にその間の下方側適所にテンション用のローラ４９が配設されている。なお、ローラ４８は、圧ローラ４８ａと共にローラ対を構成し、搬送されてきた用紙を搬送ベルト４２上に誘導可能にしている。
【００１５】
像形成部５は、搬送ベルト４２に接して配置された感光体ドラム５１を有し、感光体ドラム５１周辺には、その回転方向上流側からコロナ放電現象を利用して感光体ドラム５１表面に所定電位を付与する帯電部５２、外部メモリ等から転送されてきた画像データを変調して光として出射し、感光体ドラム５１の長さ方向に走査することで感光体ドラム５１面に静電潜像を形成する露光部５３、電界を利用して静電潜像にトナー画像を形成する現像部５４、残留トナーを除去するクリーニング部５５、感光体ドラム５１上の残留電荷を除去する除電ランプ５６が配置されている。像形成部５〜８は、トナーの色が異なる他は同一構造を有する。
【００１６】
定着部１０は、搬送路４３の上流側に配置されており、内部にヒータ源を備える熱ローラ１０１と圧ローラ１０２とで構成され、像形成部５〜８で記録紙Ｐ上に転写された所与の色のトナーを融着するものである。制御部１１は、定着制御手段及び搬送制御手段として機能し、図略のＣＰＵ（Ｃｅｎｔｒａｌ  Ｐｒｏｃｅｓｓｉｎｇ  Ｕｎｉｔ）や、作業領域としての図略のメモリ等を備えている。
【００１７】
図２は、図１に示す搬送路４１を示す概略側面図である。ここでは、搬送路４１のうち、記録紙をレジストローラ対４６に送り込む搬送ローラ対４５ｂと、送り込まれた記録紙を一時的に挟持した後に搬送ベルト４２に対して二次給紙を行うレジストローラ対４６との間の構成が示されている。搬送路４１は、レジストローラ対４６と搬送ローラ対４５ｂとの間に記録紙Ｐの搬送方向に沿って、互いに対向する上部板状ガイド部材４１１ａと下部板状ガイド部材４１１ｂとから成る一対の板状ガイド部材４１１を備え、記録紙Ｐの搬送をガイドするようになっている。上部板状ガイド部材４１１ａには、そのレジストローラ対４６の近傍位置（例えば、レジストローラ対４６のうち上部ローラの回転軸から直線距離で１０ｍｍ程搬送ローラ対４５ｂ側に寄った位置）に、レジストセンサ４１２が配置されている。レジストセンサ４１２は、その配置位置での記録紙Ｐの有無を検知するものであり、この検知に基づいて図１に示す制御部１１が搬送ローラ対４５ｂの駆動停止タイミングを制御して記録紙Ｐを繰り出す量を調整し、搬送ローラ対４５ｂの記録紙挟持部位とレジストローラ対４６の記録紙挟持部位との間の距離に比して所定量だけ多めに送り込むようにする。これにより、搬送ローラ対４５ｂによって記録紙Ｐに撓み方向の力を付与させて、上部板状ガイド部材４１１ａ側に湾曲するように撓ませて（搬送ローラ対４５ｂ及びレジストローラ対４６間の搬送路４１をカーブさせて）、レジストローラ対４６に十分に挟持させるようになっている。なお、レジストセンサ４１２は、下部板状ガイド部材４１１ｂに配置されていてもよい。
【００１８】
上部板状ガイド部材４１１には、そのレジストセンサ４１２の配置位置より搬送ローラ対４５ｂ寄りの所定位置（例えば、レジストセンサ４１２の配置位置より１０ｍｍ程搬送ローラ対４５ｂ寄りの位置）に、撓み検知部４１３が配置されている。撓み検知部４１３は、記録紙Ｐの撓み度合い（撓み量）を検知するものである。すなわち、記録紙Ｐは種類の違いによって可撓性が異なり、図１に示す制御部１１で同様に繰り出されても、記録紙Ｐの種類が異なると撓み度合いも異なる。したがって、撓み検知部４１３は、この記録紙Ｐの撓み量を検知することで、記録紙Ｐの種類を判別可能になっている。
【００１９】
図３（ａ）は、図２に示す撓み検知部４１３の斜視構成図、（ｂ）は、図２に示す撓み検知部４１３をＸ方向から見た構成図である。撓み検知部４１３は、下部で開口する断面略コ字状のケーシング４１３１を備え、ケーシング４１３１の内部側壁には、対向して配置された一対のセンサ４１３２、４１３３が並列的に配置されると共に、センサ４１３２、４１３３より搬送方向側位置（図３（ａ）中の左側位置）に取り付けられた回転軸４１３４に軸支されて、遮光部材４１３５が取り付けられている。
【００２０】
センサ４１３２、４１３３は、それぞれフォトインタラプタから成り、一方が発光素子で他方が受光素子になっている。センサ４１３２は、センサ４１３３より搬送方向側位置に配置される。遮光部材４１３５は、上部を扇状に、下部を棒状に形成されており、上部のやや上方位置で回転軸４１３４に軸支されている。また、遮光部材４１３５は、レジストローラ対４６及び搬送ローラ対４５ｂ間に記録紙Ｐが位置するとき、その下端で記録紙Ｐに接する所定位置に取り付けられ、記録紙Ｐと接することで一点鎖線矢印Ｙ方向に回動するようになっている。
【００２１】
図４は、記録紙Ｐに接しての遮光部材４１３５の回動位置と、図３に示すセンサ４１３２、４１３３の位置との相関を示す図であり、（ａ）は遮光部材４１３５が記録紙Ｐと接しない場合、（ｂ）は遮光部材４１３５がＯＨＰ紙である記録紙Ｐと接する場合、（ｃ）は遮光部材４１３５が普通紙である記録紙Ｐと接する場合を示す。
【００２２】
（ａ）に示すように、遮光部材４１３５が記録紙Ｐに接しておらず回動していないときに、センサ４１３２、４１３３はいずれも遮光部材４１３５により遮光されない位置に配置されている。そして、（ｂ）に示すように、遮光部材４１３５がＯＨＰ紙と接して回動するときに、センサ４１３２は遮光され、センサ４１３３は遮光されない位置に配置されている。（ｃ）に示すように、遮光部材４１３５が普通紙と接して回動するときには、遮光部材４１３５が、ＯＨＰ紙と接して回動するときより大きく回動するようになっている。これは、普通紙の方がＯＨＰ紙よりも可撓性が大きいので撓み度合いが大きいことに起因する。遮光部材４１３５が普通紙と接して回動するときには、センサ４１３２だけでなく、センサ４１３３も遮光される位置に配置されている。
【００２３】
上記のようにセンサ４１３２、４１３３を配置することで、センサ４１３２、４１３３いずれも遮光されないときには、記録紙Ｐが撓み検知部４１３の配置位置にはないことが判別可能になっている。そして、センサ４１３２のみが遮光されているときには、ＯＨＰ紙が撓み検知部４１３の配置位置にあることが判別され、センサ４１３２、４１３３いずれも遮光されているときには、普通紙が撓み検知部４１３の配置位置にあることが判別可能になっている。
【００２４】
上記プリンタ１の動作を説明する。まず、ローラ４４によって記録紙収納部２から記録紙Ｐが繰り出され、繰り出された記録紙Ｐは搬送ローラ対４５ａ、４５ｂの回転によって、記録紙Ｐは、上部板状ガイド部材４１１ａに当接しながらレジストローラ対４６方向に搬送され、レジストセンサ４１２によって検知される。制御部１１は、レジストセンサ４１２の検知タイミングから記録紙Ｐを撓ませるように回転停止タイミングを調整して、搬送ローラ対４５ｂを制御し、これによって、記録紙Ｐは、レジストローラ対４６に挟持される。このとき、遮光部材４１３５は、記録紙Ｐに押されるように、図３の一点鎖線矢印Ｙで示す方向に記録紙Ｐの撓みに応じた回転量で回転移動する。具体的には、記録紙ＰがＯＨＰ紙である場合には、ＯＨＰ紙に接することで遮光部材４１３５はセンサ４１３２を遮光するだけ回動し、記録紙Ｐが普通紙である場合には、普通紙に接することで遮光部材４１３５はセンサ４１３２のみならずセンサ４１３３を遮光するまで回動する。
【００２５】
そして、制御部１１は、記録紙Ｐを挟持したレジストローラ対４６を待機状態にし、感光体ドラム５１に形成されたトナー画像の先端と記録紙Ｐの先端とがほぼ同時に搬送ベルト４２の転写位置に到達するタイミングでレジストローラ対４６を駆動する。画像形成部５〜８によってトナー画像を形成された記録紙Ｐは、搬送ベルト４２で定着部１０に搬送され、定着部１０によってトナー画像が定着される。ここで、制御部１１は、センサ４１３２、４１３３双方が遮光されたときには（記録紙Ｐが普通紙であるときには）、この検知した記録紙Ｐ上のトナー画像を定着部１０で定着させる際、定着部１０の回転速度を普通紙の作動レベルである所定速度で駆動する。一方、制御部１１は、センサ４１３２のみが遮光されたときには（記録紙ＰがＯＨＰ紙であるときには）、この検知した記録紙Ｐ上のトナー画像を定着部１０で定着させる際、定着部１０の回転速度を所定速度（普通紙の作動レベルでの回転速度）よりも速く駆動することで、普通紙よりも定着部１０での通過時間を長く設定することで、記録紙に付与する熱量を大きくするように調整する。
【００２６】
上記構成によって、遮光部材４１３５によってセンサ４１３２、４１３３が遮光されるか否かで記録紙Ｐの撓みを検知し、記録紙ＰがＯＨＰ紙であるか普通紙であるかを判別するため、埃、汚れ等の付着による検知性能の低下が生じ難い。従って、可及的に確実に記録紙Ｐの種別を判別でき、記録紙Ｐへのトナー画像の付着を安定的に行うことができる。
【００２７】
なお、本発明では、記録紙ＰがＯＨＰ紙であると判断された場合に、制御部１１は、この記録紙Ｐの定着部１０での通過時間を長くする代わりに、普通紙を定着させるときよりも熱ローラ１０１の温度を高い温度に設定する等して、ＯＨＰ紙に加える熱量を多くしてもよい。
【００２８】
また、普通紙、ＯＨＰ紙の他に、薄紙等の可撓性の異なる他種類の記録紙を記録紙Ｐとして含む構成であっても、複数種類の記録紙ＰのうちＯＨＰ紙が最も可撓性が大きい構成であれば、撓み検知部４１３によって記録紙ＰがＯＨＰ紙であることを判別することができる。すなわち、記録紙Ｐが薄紙である場合にも、普通紙と同様にセンサ４１３３が遮光されるため、記録紙ＰがＯＨＰ紙でないことが判別できるためである。
【００２９】
また、撓み検知部４１３は、上部板状ガイド部材４１１ａに配置されるに限られず、下部板状ガイド部材４１１ｂに配置して、記録紙Ｐの撓みを湾曲側の反対側から記録紙Ｐの撓みを検知してもよい。更に撓み検知部４１３は、レジストローラ対４６、搬送ローラ対４５ｂ間に配置されるに限られず、定着部１０に至るまでの（定着部１０の搬送方向上流側の）記録紙Ｐを撓んだ状態で搬送する適所であればいずれの位置に配置されてもよい。
【００３０】
なお、撓み検知部４１３は、センサ４１３３のみを備える構成であってもよく、この場合には、レジストセンサ４１２が記録紙Ｐの在りを検知しており、センサ４１３３が遮光されていないときに、記録紙ＰがＯＨＰ紙であると判別され、センサ４１３３が遮光されているときに、記録紙Ｐが普通紙であると判別される。もっとも、センサ４１３２をも備える方が、一層確実に記録紙Ｐの種別を判別できるため、好ましい。
【００３１】
また、撓み検知部４１３は、フォトインタラプタから成るものに限られず、レーザ光を照射してその反射光を受光し、反射光の角度から記録紙Ｐの撓みを検知して、記録紙Ｐの種別を判別する構成であってもよい。また、撓み検知部４１３は、機械的なセンサであってもよく、センサ４１３２、４１３３の配置位置（ケーシング４１３１の一方の側壁側だけでよい）に機械的なスイッチを配置して、遮光部材４１３５と同様の形状の部材が回動してスイッチを押すことによりオン・オフを行い、このオン・オフによって記録紙Ｐの種別を判別する構成であってもよい。
【００３２】
なお、本発明は、プリンタだけでなく、複写機、ファクシミリ等の画像形成装置にも適用することができる。
【００３３】
【発明の効果】
本発明によると、撓みによって記録紙の種別（ＯＨＰ紙であるか普通紙であるか）が判別されて、この種別に応じて定着部で記録紙に付与される熱量が調整されるため、受光素子の経時的劣化や、記録紙や撓み検知部への埃、汚れ等の付着に大きく影響されず、可及的に正確に記録紙の種別を判別でき、安定的な画像形成を行うことの可能な画像形成装置を提供することができる。
【００３４】
本発明によると、十分に撓んだ記録紙から記録紙の種別を判別することとなり、正確に記録紙の種別を判別することができる。
【００３５】
本発明によると、記録紙の撓みが小さい程記録紙の定着部の通過時間が長い作動レベルに設定することで、トナー粉の定着に普通紙よりも大きい熱量を要するＯＨＰ紙に対して、普通紙よりも大きい熱量を提供することが可能となり、ＯＨＰ紙にトナー画像を十分に定着させることができる。
【００３６】
本発明によると、接する記録紙の撓みに応じて遮光部材の回動量が異なり、ＯＨＰ紙に接しての遮光部材の回動では遮光されず、普通紙に接しての遮光部材の回動でのみ遮光される位置にセンサが配置されているため、センサが遮光されれば普通紙、遮光されなければＯＨＰ紙であると判別され、ＯＨＰ紙である場合には普通紙である場合よりも大きい熱量を付与することが可能となる。したがって、簡易な構成でありながら、検知センサ及び遮光部材の経時的劣化や、埃等の付着に比較的影響されず、記録紙の種別の判別を安定させることができる画像形成装置を提供することができる。
【図面の簡単な説明】
【図１】プリンタ１の側面概略構成図である。
【図２】図１に示す搬送路４１を示す概略側面図である。
【図３】図２に示す撓み検知部４１３の構成図である。
【図４】記録紙Ｐに接しての遮光部材４１３５の回動位置と、図３に示すセンサ４１３２、４１３３の位置との相関を示す図である。
【図５】従来の画像形成装置の記録紙判別機構を示す概略構成図である。
【符号の説明】
１                プリンタ（画像形成装置）
１０        定着部
１１        制御部（定着制御手段、搬送制御手段、判別手段）
４１              搬送路
４１３          撓み検知部（撓み検知手段）
４１３３    センサ
４１３４    回転軸
４１３５    遮光部材
４５ａ、４５ｂ                      搬送ローラ対
４６              レジストローラ対
Ｐ            記録紙
【図１】
2005024705.tif 000003
【図２】
2005024705.tif 000004
【図３】
2005024705.tif 000005
【図４】
2005024705.tif 000006
【図５】
2005024705.tif 000007